【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
移動資産からのデータを処理、記憶、及び転送する方法であって、
前記移動資産に搭載されたデータレコーダを使用して、
前記移動資産に搭載された少なくとも１つのデータソースと
前記移動資産から遠隔にある少なくとも１つのデータソースと
の少なくとも１つ、からの少なくとも１つのデータ信号、に基づくデータを受信することと、
前記データレコーダのデータエンコーダを使用して、所定量の前記データに基づいて符号化データを符号化することと、
を含む方法。
【請求項２】
前記搭載のデータマネジャを使用して、前記データレコーダの少なくとも１つのローカルメモリコンポーネント及び前記データレコーダのキューリポジトリに、設定可能な第１の所定頻度で前記符号化データを記憶すること、
をさらに含む、請求項１に記載の方法。
【請求項３】
前記移動資産に搭載されている前記少なくとも１つのデータソースが、
アナログ入力、
デジタル入力、
入力及び出力モジュール、
車両コントローラ、
エンジンコントローラ、
惰性センサ、
全地球測位システム、
少なくとも１つのカメラ、
燃料データ、及び
ポジティブ列車制御（ＰＴＣ）データ、
の少なくとも１つを含み、
前記移動資産から遠隔にある前記少なくとも１つのデータソースが、
マップ成分、
経路及び乗員名簿成分、及び
天候成分、
の少なくとも１つを含むこと、
及び
前記データが、
前記移動資産からの速度、圧力、温度、電流、電圧、及び加頻度、
遠隔にある移動資産からの加頻度、
スイッチの位置、
アクチュエータの位置、
警告灯の照明、
アクチュエータ指令、
位置、
高度、
内部生成された情報、
映像情報、
音声情報、
経路、
スケジュール、
カーゴマニフェスト情報、
環境条件、
現天候条件、及び
予測天候条件、
の少なくとも１つを含むこと、
の少なくとも１つを満たす、請求項１に記載の方法。
【請求項４】
事前定義の事象が前記移動資産で発生したという条件で、前記データレコーダの車両事象検出器を用いて、前記移動資産に搭載されている車内オーディオ（in cab audio）及びグラフィックユーザインタフェース（ＧＵＩ）の少なくとも１つからの前記データ及びマルチメディアデータの少なくとも１つに基づいて、前記事前定義の事象を特定することと、
前記事前定義の事象が前記移動資産で発生したという前記条件で、前記車両事象検出器を用いて、前記事前定義の事象、データ、及びマルチメディアデータを前記キューリポジトリに記憶することと、
前記事前定義の事象が前記移動資産で発生したという前記条件で、前記車両事象レコーダを用いて、前記事前定義の事象、データ、及びマルチメディアデータを前記搭載データマネジャに送信することと、
をさらに含む、請求項１に記載の方法。
【請求項５】
前記事前定義の事象が、
前記移動資産の操作者が開始する、非常停止要求、緊急制動動作、前記資産の任意軸での急加速、前記資産の任意軸での急減速、及び前記データレコーダへの入力電力の喪失、
の少なくとも１つ、である、
請求項４に記載の方法。
【請求項６】
前記移動資産に搭載されている前記車内オーディオ及び前記ＧＵＩの少なくとも１つを用いて、前記事前定義の事象、データ、及びマルチメディアデータの少なくとも１つを表示すること、
をさらに含む、請求項４に記載の方法。
【請求項７】
前記少なくとも１つのローカルメモリコンポーネントが、衝突保護メモリモジュール及び衝突保護のない着脱式記憶装置(non-crash hardened removable storage device)の少なくとも１つ、を含む、
請求項２に記載の方法。
【請求項８】
前記符号化データが、前記少なくとも１つのローカルメモリコンポーネントの少なくとも２つの一時的記憶位置の１つに記憶される、
請求項２に記載の方法。
【請求項９】
前記少なくとも１つのローカルメモリコンポーネントへの前記符号化データの記憶が、
以前の符号化データが前記少なくとも１つのローカルメモリコンポーネントの第２の一時的記憶位置に記憶されたという条件で、前記符号化データを前記少なくとも１つのローカルメモリコンポーネントの第１の一時的記憶位置に記憶すること、
及び
前記以前の符号化データが前記少なくとも１つのローカルメモリコンポーネントの前記第１の一時的記憶位置に記憶されたという条件で、前記符号化データを前記少なくとも１つのローカルメモリコンポーネントの前記第２の一時的記憶位置に記憶すること、
の一方を含む、
請求項２に記載の方法。
【請求項１０】
前記データレコーダが、
前記移動資産に搭載の無線データリンク及び有線データリンクの少なくとも１つを介して、前記移動資産に搭載された前記少なくとも１つのデータソースと、
前記無線データリンクを介して前記移動資産から遠隔にある前記少なくとも１つのデータソースと、
の少なくとも１つから前記データを受信する、
請求項１に記載の方法。
【請求項１１】
前記データレコーダのイーサネットスイッチ及びパワーオブイーサネットを用いて、前記無線データリンク及び前記有線データリンクの前記少なくとも１つから前記データを受信すること、
及び、
前記データレコーダの無線ゲートウェイ及び無線ルータの少なくとも１つを用いて、前記無線データリンクから前記データを受信すること、
の少なくとも一方をさらに含む、請求項１０に記載の方法。
【請求項１２】
前記データエンコーダを用いて、前記符号化データを同期すること、
をさらに含む、請求項１に記載の方法。
【請求項１３】
前記搭載のデータマネジャを用いて、設定可能な第２の所定の頻度であって、０を含む０〜１秒の範囲内である頻度にて、前記符号化データを遠隔のデータマネジャに送信することと、
前記遠隔のデータマネジャを用いて、前記符号化データを遠隔のデータリポジトリに記憶することと、
をさらに含む、請求項２に記載の方法。
【請求項１４】
前記データデコーダを用いて、前記符号化データを復号データに復号することと、
前記移動資産に関して前記事前定義の事象が発生したという条件で、遠隔の事象検出器を用いて、前記復号データに基づいて事前定義の事象を特定することと、
前記移動資産で前記事前定義の事象が発生したという前記条件で、前記遠隔の事象検出器を用いて、前記事前定義の事象及び復号データを前記遠隔のデータリポジトリに記憶することと、
をさらに含む、請求項１３に記載の方法。
【請求項１５】
符号化データをデータセグメントに付加することと、
前記データセグメントが所定量の符号化データを含むという条件で、前記搭載のデータマネジャを用いて、前記データセグメントを前記少なくとも１つのローカルメモリコンポーネントに記憶することと、
をさらに含む、請求項２に記載の方法。
【請求項１６】
前記搭載のデータマネジャを用いて、設定可能な第２の所定の頻度にて、無線データリンクを介して前記データセグメントを遠隔のデータマネジャに記憶すること、
をさらに含む、請求項１５に記載の方法。
【請求項１７】
前記第２の所定の頻度が、０を含む０〜５分の範囲内である、
請求項１６に記載の方法。
【請求項１８】
前記遠隔のデータマネジャを用いて、前記データセグメントを遠隔のデータリポジトリに記憶すること、
をさらに含む、請求項１６に記載の方法。
【請求項１９】
前記データセグメントが前記遠隔のデータマネジャに前記無線データリンクを介して前記設定可能な第２の所定の頻度にて送信され、
前記データレコーダがリアルタイムモードであることを条件に、前記第２の所定の頻度が０を含む０〜１秒の第１の範囲内の１つであり、前記データレコーダが準リアルタイムモードであることを条件に、前記第２の所定の頻度が０を含む０〜５分の第２の範囲内の１つである、
請求項１６に記載の方法。
【請求項２０】
移動資産からのデータを処理、記憶、及び転送するシステムであって、
少なくとも１つのローカルメモリコンポーネント、データエンコーダ、搭載されたデータマネジャ、及びキューリポジトリを含む、前記移動資産に搭載されたデータレコーダであって、
前記移動資産に搭載された少なくとも１つのデータソースと
前記移動資産から遠隔にある少なくとも１つのデータソースと
の少なくとも１つ、からの少なくとも１つのデータ信号に基づくデータ、を受信するように適合されたデータレコーダと、
前記データに基づいて符号化データを符号化するように適合された前記データエンコーダと、
を含むシステム。
【請求項２１】
前記符号化データを設定可能な第１の所定頻度にて前記少なくとも１つのローカルメモリコンポーネント及び前記キューリポジトリに記憶するように適合された前記搭載のデータマネジャ、
をさらに含む、請求項２０に記載のシステム。
【請求項２２】
前記移動資産に搭載されている前記少なくとも１つのデータソースが、アナログ入力、デジタル入力、入力及び出力モジュール、車両コントローラ、エンジンコントローラ、惰性センサ、全地球測位システム、少なくとも１つのカメラ、燃料データ、及びポジティブ列車制御（ＰＴＣ）データの少なくとも１つを含み、前記移動資産から遠隔にある前記少なくとも１つのデータソースが、マップ成分、ルート及び乗員名簿成分、及び天候成分の少なくとも１つを含むこと、
及び
前記データが、前記移動資産からの速度、圧力、温度、温度、電流、電圧、及び加頻度、遠隔にある移動資産からの加頻度、スイッチの位置、アクチュエータの位置、警告灯の照明、アクチュエータ指令、位置、高度、内部生成された情報、映像情報、音声情報、ルート、スケジュール、カーゴマニフェスト情報、環境条件、現天候条件、及び予測天候条件の少なくとも１つを含むこと、
の少なくとも１つを満たす、請求項２０に記載のシステム。
【請求項２３】
前記データレコーダの車両事象検出器であって、
事前定義の事象が前記移動資産で発生したという条件で、前記移動資産に搭載されている車内オーディオ及びグラフィックユーザインタフェース（ＧＵＩ）の少なくとも１つからの前記データ及びマルチメディアデータに基づいて、前記事前定義の事象を特定し、
前記事前定義の事象が前記移動資産で発生したという前記条件で、前記事前定義の事象、データ、及びマルチメディアデータを前記キューリポジトリに記憶し、
前記事前定義の事象が前記移動資産で発生したという前記条件で、前記事前定義の事象、データ、及びマルチメディアデータを前記搭載データマネジャに送信する、
ように適合された、車両事象検出器、
をさらに含む、請求項２０に記載のシステム。
【請求項２４】
前記事前定義の事象が、前記移動資産の操作者が開始する非常停止要求、緊急制動動作、前記資産の任意軸での急加速、前記資産の任意軸での急減速、又は前記データレコーダへの入力電力の喪失の少なくとも１つである、
請求項２３に記載のシステム。
【請求項２５】
前記移動資産に搭載されている前記車内オーディオ及びＧＵＩが、前記事前定義の事象、データ及びマルチメディアデータの少なくとも１つを表示する、
請求項２３に記載のシステム。
【請求項２６】
前記少なくとも１つのローカルメモリコンポーネントが、衝突保護メモリモジュール及び衝突保護のない着脱式記憶装置の少なくとも１つを含む、
請求項２１に記載のシステム。
【請求項２７】
前記符号化データが、前記少なくとも１つのローカルメモリコンポーネントの少なくとも２つの一時的記憶位置の一方に記憶される、
請求項２１に記載のシステム。
【請求項２８】
前記搭載のデータマネジャが、
以前の符号化データが前記少なくとも１つのローカルメモリコンポーネントの第２の一時的記憶位置に記憶されたという条件で、前記符号化データを前記少なくとも１つのローカルメモリコンポーネントの第１の一時的記憶位置に記憶し、
前記以前の符号化データが前記少なくとも１つのローカルメモリコンポーネントの前記第１の一時的記憶位置に記憶されたという条件で、前記符号化データを前記少なくとも１つのローカルメモリコンポーネントの前記第２の一時的記憶位置に記憶する、
ように適合されている、
請求項２１に記載のシステム。
【請求項２９】
前記移動資産に搭載された無線データリンク及び有線データリンクの少なくとも１つ、
をさらに含み、
前記無線データリンク及び前記有線データリンクの前記少なくとも１つが、前記移動資産に搭載された前記少なくとも１つのデータソースから前記データを受信するように適合されている、
請求項２０に記載のシステム。
【請求項３０】
前記無線データリンク及び前記有線データリンクの前記少なくとも１つから前記データを受信するように適合された、前記データレコーダのイーサネットスイッチ及びパワーオブイーサネットの少なくとも１つ、
をさらに含む、請求項２９に記載のシステム。
【請求項３１】
前記データを前記移動資産から遠隔にある前記少なくとも１つのデータソースから受信するように適合された少なくとも１つの無線データリンクと、
前記無線データリンクから前記データを受信するように適合された、前記データレコーダの無線ゲートウェイ及び無線ルータの少なくとも１つと、
の少なくとも１つをさらに含む、請求項２０に記載のシステム。
【請求項３２】
前記データエンコーダが、前記レコード内の前記データを同期するように適合されている、
請求項２０に記載のシステム。
【請求項３３】
前記搭載のデータマネジャが、
所定量の前記符号化データを遠隔のデータマネジャに無線データリンクを介して、０を含む０〜１秒の範囲内である、設定可能な第２の所定の頻度にて送信し、
所定量の前記符号化データを遠隔のデータリポジトリに記憶する、
ように適合されている、
請求項２１に記載のシステム。
【請求項３４】
前記所定量の符号化データを復号されたデータ内に復号するように適合された遠隔のデータデコーダと、
遠隔の事象検出器であって、
事前定義の事象が前記移動資産で発生したという条件で、前記符号化データに基づいて前記事前定義の事象を特定し、
事前定義の事象が前記移動資産で発生したという前記条件で、前記事前定義の事象及び復号データを前記遠隔のデータリポジトリに記憶する、
ように適合された、遠隔の事象検出器と、
をさらに含む、請求項３３に記載のシステム。
【請求項３５】
前記搭載のデータマネジャが、
前記符号化データをデータセグメントに付加し、
所定量の前記符号化データが少なくとも０．１０秒の符号化データを含むという条件で、前記データセグメントを前記少なくとも１つのローカルメモリコンポーネントに送信する、
ように適合されている、
請求項２１に記載のシステム。
【請求項３６】
前記搭載のデータマネジャが、前記データセグメントを遠隔のデータマネジャに無線データリンクを介して、設定可能な第２の所定の頻度にて送信するように適合されている、
請求項３５に記載のシステム。
【請求項３７】
前記第２の所定の頻度が、０を含む０〜５分の範囲内である、
請求項３６に記載のシステム。
【請求項３８】
前記遠隔のデータマネジャが、前記データセグメントを遠隔のデータリポジトリに記憶するように適合されている、
請求項３６に記載のシステム。
【請求項３９】
前記データセグメントが、前記遠隔のデータマネジャに、前記無線データリンクを介して前記設定可能な第２の所定の頻度にて送信され、
前記データレコーダがリアルタイムモードであることを条件に、前記第２の所定の頻度が０を含む０〜１秒の第１の範囲内の１つであり、前記データレコーダが準リアルタイムモードであることを条件に、前記第２の所定の頻度が０を含む０〜５分の第２の範囲内の１つである、
請求項３６に記載のシステム。